(57)【特許請求の範囲】
【請求項１】
支持部材と外側樋耳係止部材とから成り、上記支持部材は、建物に対する固定部の上端を外向き、即ち建物から離れる向きに屈曲して形成された第１取付け部及び該第１取付け部の外方部に第２取付け部を有すると共に、上記第１取付け部に内側樋耳係止部が一体に設けられたものであり、上記外側樋耳係止部材は、水平なスライド取付け部の外端部に外側樋耳係止部、内端部に内側挾持部を有すると共に、上記スライド取付け部が上記支持部材の第２取付け部に内外方向にスライド自在に取付けられ、かつ内方へ最大限スライドした際に上記内側挾持部が樋の一部を挾持する間隙をおいて上記内側樋耳係止部に対向するスライド範囲を有して成る樋受具。
【請求項２】
前記内側樋耳係止部は、内側樋耳係止部材の一部分に形成され、その内側樋耳係止部材を前記支持部材の第１取付け部に固定してなる請求項１に記載の樋受具。
【請求項３】
支持部材、外側樋耳係止部材及び内側樋耳係止部材とから成り、上記支持部材は、建物に対する固定部の上端を外向き、即ち建物から離れる向きに屈曲して形成された第１取付け部及び該第１取付け部の外方部に第２取付け部を有すると共に、上記第１取付け部に上記内側樋耳係止部材が内外方向にスライド自在に取付けられたものであり、上記外側樋耳係止部材は、水平なスライド取付け部の外端部に外側樋耳係止部、内端部に内側挾持部を有すると共に、上記スライド取付部が上記支持部材の第２取付け部に内外方向にスライド自在に取付けられ、かつ内方へ最大限スライドした際に上記内側挾持部が樋の一部を挾持する間隙をおいて上記内側樋耳係止部に対向するスライド範囲を有して成る樋受具。
【請求項４】
前記支持部材の第２取付け部の先端に、前記外側樋耳係止部の上部に達する外側樋耳挾持部を設けてなる請求項１から３のいずれかに記載の樋受具。
【請求項５】
支持部材と外側樋耳係止部材とから成り、上記支持部材は、建物に対する固定部の上端を外向き、即ち建物から離れる向きに屈曲して形成された第１取付け部及び該第１取付け部の外方部に第２取付け部を有すると共に、上記第１取付け部に内側受け部が一体に設けられ、上記外側樋耳係止部材は、水平なスライド取付け部の外端部に外側樋耳係止部、内端部に内側挾持部を有すると共に、上記スライド取付け部が上記支持部材の上記第２取付け部に内外方向にスライド自在に取付けられ、上記外側樋耳係止部材のスライド範囲が、該外側樋耳係止部材が内方へ最大限スライドした際に上記内側挾持部が樋の内側壁より内側に突き出した内側樋耳の下面に達すると共に、該樋の内側壁を挟持する間隙をおいて上記内側受け部と対向するように設定されて成る樋受具。
【請求項６】
上記支持部材の建物に対する固定部が、上部固定辺と下部固定辺の２箇所に分かれて設けられ、上部固定辺の下端が外向きに屈曲されて内側樋耳の係止部が形成され、該内側樋耳係止部の内端が下向きに屈曲されて樋の内側壁の挟持辺が形成され、該挟持辺の下端が内向きに屈曲されて屈曲辺が形成され、更にその屈曲辺の内端が建物の取付け面に沿って屈曲されることにより、上記の下部固定辺が形成されたことを特徴とする請求項１から５のいずれかに記載の樋受具。
【請求項７】
上記固定部の係止部、挟持辺及び屈曲辺により突出部が形成され、上記固定部に沿わせた取付け板に角穴を設け、上記突出部をその角穴の内側から外向きに挿通して角穴の外側に突出させたことを特徴とする請求項６に記載の樋受具。
【請求項８】
支持部材と外側樋耳係止部材及び吊りボルトとから成り、上記支持部材は、内端部に内側樋耳係止部を有すると共に、上記内側樋耳係止部の上端を外向き、即ち建物から離れる向きに屈曲して取付け部を設けて成り、上記外側樋耳係止部材は、水平のスライド取付け部の外端部に外側樋耳係止部、内端部に内側挟持部を有すると共に、上記のスライド取付け部に設けたスライド穴の部分において上記支持部材の上記取付け部に上記吊りボルトにより内外方向にスライド自在に取付けられ、上記外側樋耳係止部材のスライド範囲が、該外側樋耳係止部材が内方へ最大限スライドした際に上記内側挟持部が樋の一部を挾持する間隙をおいて上記内側樋耳係止部に対向するスライド範囲を有し、上記吊りボルトは、その下端部分を上記支持部材の取付け部と外側樋耳係止部材のスライド穴に挿通してナットにより締結し、上端部分を屋根に固定するようにした樋受具。
【請求項９】
支持部材と外側樋耳係止部材及び取付け部材とから成り、上記支持部材は、内端部に内側樋耳係止部を有すると共に、上記内側樋耳係止部の上端を外向き、即ち建物から離れる向きに屈曲して水平部及び該水平部の外方に取付け部を設け、上記水平部及び取付け部にそれぞれ内外方向のスライド穴を設けて成り、上記外側樋耳係止部材は、水平のスライド取付け部の外端部に外側樋耳係止部、内端部に内側挟持部を有すると共に、上記のスライド取付け部に内外方向のスライド穴を設けて成り、上記取付け部材は、建物に対する固定部と、その上端を外向きに屈曲して形成された第１取付け部及び該第１取付け部の外方部に設けた第２取付け部とから成り、上記第１取付け部の下面に上記支持部材の水平部を添わせる第１ボルト・ナットを該第１取付け部及び該支持部材のスライド穴に挿通して連結し、更に上記第２取付け部の下面に上記支持部材の取付け部、該取付け部の下面に外側樋耳係止部材の水平部を重ね、上記第２取付け部と、上記支持部材の取付け部のスライド穴と、上記外側樋耳係止部材の水平部のスライド穴に、第２ボルト・ナットを挿通して連結してなる樋受具。
【請求項１０】
上記外側樋耳係止部材は、水平なスライド取付け部の外端に外側樋耳係止部、内端の両側に側板、その側板の内端に内側樋耳係止部を有し、上記スライド取付け部を上記支持部材の取付け部の上面にスライド自在に取付けた請求項１から９のいずれかに記載の樋受具。
【請求項１１】
上記外側樋耳係止部材の上記支持部材に対するスライド自在の取付け構造が、該外側樋耳係止部材に形成された長さ方向のスライド穴と、上記取付け部からそのスライド穴に挿通した連結ピン、該取付け部に設けた上部ピン穴とこれに対向した外側樋耳係止部材の下部ピン穴、上記の上部ピン穴と下部ピン穴に上下動自在に挿通されたリベットピンにより構成され、上記リベットピンの上部ヘッドを上部ピン穴より大径に形成すると共に、下部ヘッドを下部ピン穴より小径かつ上部ピン穴より大径に形成し、上記の上部ピン穴と下部ピン穴との間に上記下部ヘッドの嵌入部を設けた構造と、上記外側樋耳係止部材又は上記支持部材のいずれか一方にスライド穴を設け、そのスライド穴にリベットを挿通して上記両部材を係合した構造とにより構成されて成る請求項１から１０のいずれかに記載の樋受具。
【発明の詳細な説明】
【０００１】
【発明の属する技術分野】
この発明は、樋受具に関するものである。
【０００２】
【従来の技術】
図３３及び図３４に示した従来の樋受具は、雪国等の建物に取付けられる比較的大形の樋を支持するものである。この場合の樋１は、ステンレス鋼で作られ、外側樋耳２は外側壁３の上端を内側に屈曲して下向きコの字形に形成される。また内側樋耳４は内側壁５の上端を外向きに屈曲して係止段部６を形成し、更にその係止段部６から立ち上げて下向きコの字形に形成したものであり、そのコの字形の屈曲端と上記の係止段部６との間に開口７が形成される。
【０００３】
また、樋受具は、支持部材８、樋耳係止部材９、外側樋耳挾持部材１１、内側樋耳挾持部材１２の４部材と、第１から第３の３組のボルト１３、１４、１５と蝶ナット１３’、１４’、１５’との組合せにより構成される。
【０００４】
支持部材８は内端部に建物の取付け面１６に対する固定部１７を有し、この固定部１７に取付け板１８が固着される。また、外端部に樋耳係止部材９の取付け部１９を有する。
【０００５】
上記の樋耳係止部材９は、外端部に外側樋耳係止部２１、他端に内側樋耳係止部２２を有し、その中央部分で前記支持部材９の取付け部１９に第１ボルト・ナット１３、１３’により取付けられる。
【０００６】
その第１ボルト・ナット１３、１３’による固定部と外側樋耳係止部２１との間の上面に、前記の外側樋耳挾持部材１１が第２ボルト・ナット１４、１４’で取付けられ、更に前記第１ボルト・ナット１３、１３’による固定部と内側樋耳係止部２２との間の下面に、前記の内側樋耳挾持部材１２が第３ボルト・ナット１５、１５’により取付けられる。
【０００７】
前記支持部材８の取付け板１８を釘２３により建物の取付け面１６に固定したのち、樋１を取付ける。
【０００８】
その際、第２及び第３ボルト・ナット１４、１４’、１５、１５’を緩めて、外側及び内側樋耳挾持部材１１、１２を図３４の一点鎖線で示すように、９０度向きを変え、そのうえで外側樋耳２を外側樋耳係止部２１上に係止し、次に内側樋耳４の係止段部６を内側樋耳係止部２２に係止する。その後、外側樋耳挾持部材１１を元の状態に戻して外側樋耳２上に臨ませ、第２ボルト・ナット１４、１４’を締結して外側樋耳２を外側樋耳係止部２１との間で挟持する。
【０００９】
また、内側樋耳挾持部材１２も元の状態に戻して、内側樋耳４の開口７に挿入し、係止段部６上に臨ませ、第３ボルト・ナット１５、１５’を締結して内側樋耳４を内側樋耳係止部２２との間で挟持する。
【００１０】
【発明が解決しようとする課題】
上記のように、従来の樋受具は、樋１を取付ける際に、外側樋耳挾持部材１１及び内側樋耳挾持部材１２の向きを変えてから樋１を係止したのち、これらの各部材１１、１２を元の状態に戻してそれぞれボルト・ナット１４、１４’、１５、１５’を締結しなければならず、特に軒先と樋が接近している場合は第３ボルト・ナット１５、１５’は手が届きにくいこともあり、樋の取付け作業が甚だ非能率的である問題があった。また、構成部材の数も多く、その分だけコスト高になる問題もあった。
【００１１】
そこで、この発明は簡単な構成で、しかも樋の取付け作業が能率的にできる樋受具を提供することを目的とする。
【００１２】
【課題を解決するための手段】
上記の目的を達成するために、請求項１に記載の樋受具の発明は、支持部材と外側樋耳係止部材とから成り、上記支持部材は、建物に対する固定部の上端を外向き、即ち建物から離れる向きに屈曲して形成された第１取付け部及び該第１取付け部の外方部に第２取付け部を有すると共に、上記第１取付け部に内側樋耳係止部が一体に設けられたものであり、上記外側樋耳係止部材は、水平なスライド取付け部の外端部に外側樋耳係止部、内端部に内側挾持部を有すると共に、上記スライド取付け部が上記支持部材の第２取付け部に内外方向にスライド自在に取付けられ、かつ内方へ最大限スライドした際に上記内側挾持部が樋の一部を挾持する間隙をおいて上記内側樋耳係止部に対向するスライド範囲を有して成る構成としたものである。
【００１３】
上記構成の樋受具は、支持部材を建物に固定した状態で、外側樋耳係止部材を外向き（建物から離れる向き）にスライドさせ、樋の外側樋耳を外側樋耳係止部に係止し、樋の内側壁側を持ち上げた状態で、樋と共に外側樋耳係止部材を内方へスライドさせ、内側樋耳を内側樋耳係止部に係止すると共に、該内側樋耳係止部と内側挾持部との間で樋内側壁又は内側樋耳を挾持する。その後外側樋耳係止部材を支持部材に固定する。ここで挟持というのは、内側樋耳係止部と内側挟持部とが、樋内側壁又は内側樋耳の内外両面に接触する場合と、内側樋耳が外れない程度の間隙をおいて内外両面に対向する場合とを含む。以下同様である。
【００１４】
なお、前記内側樋耳係止部は、内側樋耳係止部材の一部分に形成され、その内側樋耳係止部材を前記支持部材の第１取付け部に固定された構成とすることができる（請求項２）。
【００１５】
請求項３に記載の樋受具の発明は、支持部材、外側樋耳係止部材及び内側樋耳係止部材とから成り、上記支持部材は、建物に対する固定部の上端を外向き、即ち建物から離れる向きに屈曲して形成された第１取付け部及び該第１取付け部の外方部に第２取付け部を有すると共に、上記第１取付け部に上記内側樋耳係止部材が内外方向にスライド自在に取付けられたものであり、上記外側樋耳係止部材は、水平なスライド取付け部の外端部に外側樋耳係止部、内端部に内側挾持部を有すると共に、上記スライド取付部が上記支持部材の第２取付け部に内外方向にスライド自在に取付けられ、かつ内方へ最大限スライドした際に上記内側挾持部が樋の一部を挾持する間隙をおいて上記内側樋耳係止部に対向するスライド範囲を有して成る構成としたものである。
【００１６】
この場合の樋受具は、前記と同様にして樋を取付けることができるが、樋を取付けたのち、樋、外側樋耳係止部材及び内側樋耳係止部材を一体に内外方向にスライドさせることにより、建物に対する樋の位置調整、いわゆる出調整を行うことができる。
【００１７】
なお、上記いずれの場合においても前記支持部材の取付け部の先端に、前記外側樋耳係止部の上部に達する外側樋耳挾持部を設けた構成とすることができる（請求項４）。
【００１８】
請求項５に記載の樋受具は、支持部材と外側樋耳係止部材とから成り、上記支持部材は、建物に対する固定部の上端を外向き、即ち建物から離れる向きに屈曲して形成された第１取付け部及び該第１取付け部の外方部に第２取付け部を有すると共に、上記第１取付け部に内側受け部が一体に設けられ、上記外側樋耳係止部材は、水平なスライド取付け部の外端部に外側樋耳係止部、内端部に内側挾持部を有すると共に、上記スライド取付け部が上記支持部材の上記第２取付け部に内外方向にスライド自在に取付けられ、上記外側樋耳係止部材のスライド範囲が、該外側樋耳係止部材が内方へ最大限スライドした際に上記内側挾持部が樋の内側壁より内側に突き出した内側樋耳の下面に達すると共に、該樋の内側壁を挟持する間隙をおいて上記内側受け部と対向するように設定されて成る、上記内側受け部との間で該樋の内側壁を挟持する範囲になるよう設定されたことを特徴とする構成としたものである。
【００１９】
この場合は、外側樋耳係止部材を外方へスライドさせて樋を係止する際、樋の内側樋耳が内側挟持部に干渉するため、樋の内側壁を外方へ弾性変形させて係止する。その後内方へスライドさせ、内側挾持部で内側樋耳の下面を係止すると共に、内側壁を内側挟持部と内側受け部との間で挟持する。
【００２０】
また、請求項６に記載の樋受具の発明は、支持部材と外側樋耳係止部材とから成り、上記支持部材は、建物に対する固定部と、その固定部の上端を外向き、即ち建物から離れる方向に屈曲して形成された取付け部とから成り、上記外側樋耳係止部材は、水平なスライド取付け部が外端部に外側樋耳係止部、内端部に内側樋耳係止部を有すると共に、上記スライド取付け部の上記支持部材の上記取付け部に内外方向にスライド自在に取付けられ、上記外側樋耳係止部材のスライド範囲が、該外側樋耳係止部材が内方へ最大限スライドした際に上記内側挾持部が樋の内側壁より内側に突き出した内側樋耳の下面に達すると共に、該樋の内側壁を挾持する間隙をおいて上記支持部材の建物に対する固定部と対向するように設定されて成る構成としたものである。
【００２１】
この場合は、樋の内側壁を、外側樋耳係止部材の内端に設けられた内側挾持部と、支持部材の固定部との間で挟持するようになっており、建物の取付け面と樋との距離が短い場合に用いられる。
【００２２】
請求項７に記載の発明は、上記支持部材の建物に対する固定部が、建物の取付け面に接する固定辺と樋の内側壁に接する挟持辺とを含む枠状に形成されて成る構成としたものである。
【００２３】
この場合は固定部が枠状に形成されるため、著しく補強され、強度が増大する。
【００２４】
請求項８に記載の発明は、上記支持部材の建物に対する固定部が、上部固定辺と下部固定辺の２箇所に分かれて設けられ、上部固定辺の下端が外向きに屈曲されて内側樋耳の係止部が形成され、該内側樋耳係止部の内端が下向きに屈曲されて樋の内側壁の挟持辺が形成され、該挟持辺の下端が内向きに屈曲され、更に建物の取付け面に沿って屈曲されることにより、上記の下部固定辺が形成された構成としたものである。
【００２５】
この場合も、上部固定辺、係止段部、挟持辺、下部固定辺を含む補強枠が形成され、固定部の強度が増大する。下部固定辺は、上向きに屈曲しても、下向きに屈曲してもよい。
【００２６】
請求項９に記載の発明は、上記固定部の係止部、挟持辺及び屈曲辺により突出部が形成され、上記固定部に沿わせた取付け板に角穴を設け、上記突出部をその角穴の内側から外向きに挿通して角穴の外側に突出させた構成としたものである。
【００２７】
上記構成によると、上部固定辺と下部固定辺を単一の部材からなる取付け板により建物の取付け面に固定することができる。
【００２８】
請求項１０に記載の発明は、支持部材と外側樋耳係止部材及び吊りボルトとから成り、上記支持部材は、内端部に内側樋耳係止部を有すると共に、上記内側樋耳係止部の上端を外向き、即ち建物から離れる向きに屈曲して取付け部を設けて成り、上記外側樋耳係止部材は、水平のスライド取付け部の外端部に外側樋耳係止部、内端部に内側挟持部を有すると共に、上記のスライド取付け部に設けたスライド穴の部分において上記支持部材の上記取付け部に上記吊りボルトにより内外方向にスライド自在に取付けられ、上記外側樋耳係止部材のスライド範囲が、該外側樋耳係止部材が内方へ最大限スライドした際に上記内側挟持部が樋の一部を挾持する間隙をおいて上記内側樋耳係止部に対向するスライド範囲を有し、上記吊りボルトは、その下端部分を上記支持部材の取付け部と外側樋耳係止部材のスライド穴に挿通してナットにより締結し、上端部分を屋根に固定するようにしたものである。
【００２９】
上記の構成によると、屋根の軒先と建物の取付け面との距離が大きい場合に、吊りボルトの上端を屋根の軒先に直接固定することにより取付けることができる。
【００３０】
請求項１１に記載の発明は、支持部材と外側樋耳係止部材及び取付け部材とから成り、上記支持部材は、内端部に内側樋耳係止部を有すると共に、上記内側樋耳係止部の上端を外向き、即ち建物から離れる向きに屈曲して水平部及び該水平部の外方に取付け部を設け、上記水平部及び取付け部にそれぞれ内外方向のスライド穴を設けて成り、上記外側樋耳係止部材は、水平のスライド取付け部の外端部に外側樋耳係止部、内端部に内側挟持部を有すると共に、上記のスライド取付け部に内外方向のスライド穴を設けて成り、上記取付け部材は、建物に対する固定部と、その上端を外向きに屈曲して形成された第１取付け部及び該第１取付け部の外方部に設けた第２取付け部とから成り、上記第１取付け部の下面に上記支持部材の水平部を添わせる第１ボルト・ナットを該第１取付け部及び該支持部材のスライド穴に挿通して連結し、更に上記第２取付け部の下面に上記支持部材の取付け部、該取付け部の下面に外側樋耳係止部材の水平部を重ね、上記第２取付け部と、上記支持部材の取付け部のスライド穴と、上記外側樋耳係止部材の水平部のスライド穴に、第２ボルト・ナットを挿通して連結してなるものである。
【００３１】
上記の構成によると、第１ボルト・ナット及び第２ボルト・ナットの締結を緩めることにより、取付け部材に対し、支持部材、外側樋耳係止部材及びこれらに係止された樋を内外方向にスライドさせることにより、樋の出調整を行うことができる。
【００３２】
請求項１２に記載の発明は、上記外側樋耳係止部材は、水平なスライド取付け部の外端に外側樋耳係止部、内端の両側に側板、その側板の内端に内側樋耳係止部を有し、上記スライド取付け部を上記支持部材の取付け部の上面にスライド自在に取付けた構成としたものである。
【００３３】
上記の構成によると、樋の荷重がスライド取付け部を経て支持部材の取付け部に面的に分散してかかり、荷重の集中を避けることができる。
【００３４】
請求項１３に記載の発明は、上記外側樋耳係止部材の上記支持部材に対するスライド自在の取付け構造が、該外側樋耳係止部材に形成された長さ方向のスライド穴と、上記取付け部からそのスライド穴に挿通した連結ピン、該取付け部に設けた上部ピン穴とこれに対向した外側樋耳係止部材の下部ピン穴、上記の上部ピン穴と下部ピン穴に上下動自在に挿通されたリベットピンにより構成され、上記リベットピンの上部ヘッドを上部ピン穴より大径に形成すると共に、下部ヘッドを下部ピン穴より小径かつ上部ピン穴より大径に形成し、上記の上部ピン穴と下部ピン穴との間に上記下部ヘッドの嵌入部を設けた構造と、上記外側樋耳係止部材又は上記支持部材のいずれか一方にスライド穴を設け、そのスライド穴にリベットを挿通して上記両部材を係合した構造とにより構成されて成る構成としたものである。
【００３５】
上記の構成によると、樋受具の上下を反転させるだけでリベットピンの下部ヘッドが嵌入部に落ち込むため、外側樋耳係止部を支持部材に対し外方にスライドさせることができ、その状態で建物に取付け、上記の外側樋耳係止部に樋を係止させると共に内方へスライドさせると、元の位置において上記のリベットピンが下部ピン穴に落ち込む。
【００３６】
【実施の形態】
以下この発明の実施形態を添付図面に基づいて説明する。
図１から図３に示した第１実施形態の樋受具は、支持部材３１、内側樋耳係止部材３２、外側樋耳係止部材３３及び１組のボルト３４と蝶ナット３４’を主要な構成要素とする。
【００３７】
支持部材３１は、帯金を屈曲して形成され、その内端（建物側）を下向きに屈曲して建物の取付け面３５に対する固定部３６を形成し、その固定部３６に取付け板３７を固着している。上記の固定部３６の上端を外向き、即ち建物から離れる向きに屈曲して水平に外方に延びた第１取付け部３８が形成され、その第１取付け部３８から下向き傾斜部３９を経て水平の第２取付け部４１が形成される。
【００３８】
上記第２取付け部４１の先端から上向き傾斜部４２を経て水平の外側樋耳挾持部４３が形成される。
【００３９】
内側樋耳係止部材３２も帯金を屈曲して形成され、前記の第１取付け部３８の下面にリベット４４により固着される固定部４５を有し、その固定部４５の内端を下向きに屈曲すると共に、更に外向きに屈曲してコの字形の内側樋耳係止部４６を形成している。その内側樋耳係止部４６の外端を下向きに屈曲し内側受け部４７を形成している。
【００４０】
外側樋耳係止部材３３も帯金を屈曲して形成され、水平のスライド取付け部５２の外端を上向きに屈曲し、更に内向きに屈曲して逆Ｌ形の外側樋耳係止部４８を形成している。また、上記スライド取付け部５２の内端部を下向きに屈曲して内側挾持部４９を形成し、更にその下端を斜め外方へ屈曲して傾斜した案内部５１を形成している。
【００４１】
上記のスライド取付け部５２に内外方向に長いスライド穴５３が形成され、そのスライド穴５３を設けた部分を前記支持部材３１の第２取付け部４１の下面に重ね、両者の重なり部分に下向きコの字形のずれ止め金具５４を上から嵌合している。そして、スライド穴５３と第２取付け部４１及びずれ止め金具５４にボルト３４を挿通すると共に、これに蝶ナット３４’を螺合し、締付けて支持部材３１に対して外側樋耳係止部材３３をスライド自在に結合している。
【００４２】
上記のスライド穴５３の外端の位置は、外側樋耳係止部材３３が最も内方（建物に接近する方向）へスライドした際に、その外側樋耳係止部４８が、図１に示すように支持部材３１の外側樋耳挾持部４３の下方に樋１の肉厚と同等かそれより若干大きい間隙をおいて対向する位置に達し、また内側挾持部４９が内側樋耳係止部４６及び内側受け部４７との間に樋１の肉厚と同等かそれより若干大きい間隙、即ち、樋内側壁５を挟む間隙をおいて対向する位置に達するように設定される。
【００４３】
また、スライド穴５３の内端の位置は、外側樋耳係止部材３３が最も外方へスライドした際に、その外側樋耳係止部４８と外側樋耳挾持部４３との間に外側樋耳２が十分通過しうる間隙が形成され、また内側挾持部４９と内側受け部４７との間に、内側樋耳４が十分通過しうる間隙が形成されるように設定される。
【００４４】
第１実施形態の樋受具は以上のごときものであり、支持部材３１の取付け板３７を釘５５で建物の取付け面３５に固定したのち、図３に示すように蝶ナット３４’を緩めて外側樋耳係止部材３３を外方へ最大限にスライドさせる。次に、樋１の外側樋耳２を外側樋耳係止部４８に係止し（図３の一点鎖線参照）、作業者がその係止部分を中心に樋１を内側へ回転させる。
【００４５】
そうすると、内側樋耳４は案内部５１に沿って押し上げられ、図３の実線で示すように、樋１の内側壁５が内側挾持部４９に沿った状態に持ち上げられる。その状態で上記樋１と共に外側樋耳係止部材３３を内方へ押し込み、最大限にスライドさせ（図３の二点鎖線参照）、蝶ナット３４’を締結固定する。
【００４６】
これにより、図１に示すように、外側樋耳２は、外側樋耳係止部４８と外側樋耳挾持部４３との間で挾持され、外側樋耳２に上向きの力が作用しても外側樋耳挾持部４３により妨げられ、外れることがない。
【００４７】
また、これと同時に樋１の内側壁５が内側受け部４７と内側挾持部４９との間で挾持されるので、内側樋耳４も外れることがない。また、内側壁５がその内外両面から挟まれるので、取付け面３５を吹き上げる風が吹き付けても、樋１の変形が防止される。
【００４８】
なお、上記のように内側挾持部４９を下向きに屈曲する代わりに図４に示すように、水平部５２の外端を下向きに屈曲し、更に斜め上向きに屈曲して案内面５１’を形成し、その案内面５１’の上端を上向きに屈曲して樋内側壁５を挟む間隙をおいて内側受け部４７と対向する内側挾持部４９を形成するようにしてもよい。この場合は、内側挾持部４９が内側樋耳４の内側に当たると共に内側受け部４７が樋内側壁５の外側に当たるため、内側樋耳４の外れが防止される。
【００４９】
また、図示を省略しているが、内側樋耳係止部４６は、支持部材３１の一部を下向きに切り起こして形成することにより、内側樋耳係止部材３２のごとき独立した部品を用いることなく、これを形成することもできる。
【００５０】
更に、樋１の外側樋耳２の下部に図１の一点鎖線で示すように、内側へ屈曲した係止段部５６を設けた場合は、その係止段部５６により外側樋耳２が浮き上がることが防止できるので、支持部材３１の第２取付け部４１の先端から延びた傾斜部４２及び外側樋耳挾持部４３を省略することができる。
【００５１】
外側樋耳係止部材３３のスライド取付け部５２の内端に形成される内側挾持部４９は、そのスライド取付け部５２の内端を屈曲することなく、図５に示すように、内側樋耳係止部４６をスライド取付け部５２より高い位置に形成すると共に、該スライド取付け部５２の内端を内側壁５の内面に接近又は接触させることによっても内側受け部４７との間で内側壁５を挟持することができる。しかし、施工時に樋１をその長さ方向にスライドさせる必要が生じたとき、樋１がスムーズにスライドさせ難いことがある。
【００５２】
このため図５に示すように内側挾持部４９を別部材の円板により形成し、これをピン６１で回転自在に取付けると共に、その外周面の一部を内側壁５に接触させる。このようにすると樋１のスライド抵抗が減少するのでスムーズにスライドさせることができる。
【００５３】
更に、図６に示すように、内側挾持部４９をスライド取付け部５２の内端をそのまま内側樋耳係止部４６上に延長することにより形成し、内側樋耳係止部４６との間で内側樋耳４の係止段部６を挟む間隙をおくようにしてもよい。この場合は、その内側挾持部４９を内側樋耳４の開口７に挿入し、内側樋耳４の係止段部６を該内側挾持部４９と、内側樋耳係止部４６とにより上下で挟持する。なお、内側挾持部４９が外方へ突き出しているため、樋耳４をこれに係止させる際は、図６の一点鎖線で示すように樋内側壁５を外方へ弾性変形させる。このとき、変形量が少なくてよいように、樋耳４の内側壁７’に傾斜をつけるとよい。
【００５４】
次に、図７に示した第２実施形態は、支持部材３１の第１取付け部３８に内外方向のスライド調整穴５７を設け、そのスライド調整穴５７と内側樋耳係止部材３２の固定部４５にボルト５８を通し、蝶ナット５８’で締結している。
【００５５】
また、樋１は外側樋耳２の下部に係止段部５６を有するものを用いるため、支持部材３１の前述した傾斜部４２、外側樋耳挾持部４３（図１参照）を省略している。また、外側樋耳係止部材３３の内端は、スライド取付け部５２の内端を上向きに屈曲して内側挾持部４９を形成している。内側挾持部４９は、内側壁５を挾持する間隙をおいて内側受け部４７に対向する。その他の構成は、前述の第１実施形態のものと同じである。
【００５６】
樋１の取付け作業も前述と同じ要領で行われるが、この第２実施形態の場合は、両方のボルト・ナット３４、３４’、５８、５８’の締結を緩めると、樋１と内側樋耳係止部材３２と外側樋耳係止部材３３の三者を一体に内外方向にスライドすることができる。従って、樋１の出調整（軒先に対する樋の出具合の調整）を自由に行うことができる。
【００５７】
図８に示した第３実施形態の樋受具は、樋１の内側樋耳４が内側壁５よりも樋内方へ突出した内向きタイプの場合に用いられるものである。
【００５８】
この場合は、支持部材３１の第１取付け部３８に逆Ｌ形の内側受け部材５９をリベット４４により固着している。この内側受け部材５９の下向きの垂直部分が内側樋耳４及び内側壁５の内側（建物側）に沿った内側受け部６０となる。この内側受け部６０は、支持部材３１の一部を切起こしにより形成することができる。
【００５９】
また、外側樋耳係止部材３３のスライド取付け部５２の内端を下向きに屈曲して内側挾持部４９を形成し、更に、その下端を斜め外方に屈曲して傾斜した案内部５１を形成している。その他の構成は、第１実施形態（図１参照）のものと同様である。
【００６０】
上記の場合も外側樋耳係止部材３３を外方へスライドさせたのちに樋１を取付ける。その際、内側樋耳４が内向きに突き出している関係で干渉が生じ嵌まり難いが、図８の一点鎖線で示すように、樋１の内側壁５を外方へ弾性変形させると、内側樋耳４を容易に内側挾持部４９に係止させることができる（図８の二点鎖線参照）。
【００６１】
このようにして係止させたのち、樋１と共に外側樋耳係止部材３３を内方へスライドさせると、図８の実線で示すように、内側挾持部４９が内側樋耳４の下面に係止されると共に、内側壁５が内側挾持部４９と内側受け部６０との間で挟持され、外れが防止される。
【００６２】
図９に示した第４実施形態の樋受具は、樋１が建物の取付け面３５に接近して取付けられる場合であり、前記図８に示した第３実施形態における内側受け部材５９を省略し、固定部３６に固着した取付け板３７と、内側挾持部４９との間で樋１の内側壁５を挟持するようにしたものである。その他は、図８の第３実施形態と同じである。但し、符号３８’は固定部３６の上端を外向きに屈曲して形成された水平部、４１’は上記水平部３８’に下向き傾斜部３９を経て形成された取付け部である。
【００６３】
上記図９の第４実施形態において、外側樋耳係止部材３３の内側挾持部４９を、樋１の内側壁５に押し当て、該内側挾持部４９と取付け板３７との間ですき間無く挟持し、その状態でボルト３４、ナット３４’を締付けると、取付け板３７、固定部３６、水平部３８’、傾斜部３９、外側樋耳係止部材３３、内側挾持部４９によって囲まれた概略四角形の枠状部分が構成される。このため、支持部材３１の取付け面３５に近い部分（固定部３６の上端屈曲部、水平部３８’など）が補強される。
【００６４】
なお、上記の補強作用は後述の第５実施形態（図１０から図１２）、その変形例（図１３から図１５）においても同様である。
【００６５】
図１０から図１２に示した第５実施形態の樋受具は、支持部材３１及び外側樋耳係止部材３３の基本的構成は図９に示した第４実施形態のものと共通しているが、支持部材３１に対する外側樋耳係止部材３３のスライド自在の結合構造において相違する。
【００６６】
即ち、支持部材３１の取付け部４１’の中央部分に、外側樋耳係止部材３３のスライド取付け部５２に設けられた下部ピン穴６３と対向し、これより小径の上部ピン穴６４が設けられ、これらの上部ピン穴６４と下部ピン穴６３にリベットピン６５を上下動自在に挿通している。リベットピン６５は上部ヘッド６６と下部ヘッド６７を有する。
【００６７】
上記の上部ヘッド６６は、上部ピン穴６４より大径である。また下部ヘッド６７は下部ピン穴６３より小径であるが、上部ピン穴６４より大径である。また、上部ピン穴６４の下半分は、下端が下部ピン穴６３と同一径となるテーパ状に形成され、下部ヘッド６７がこのテーパ状部分に嵌入できるようになっている。このテーパ状部分を下部ヘッド６７の嵌入部６８と称する。
【００６８】
なお、上記の嵌入部６８は、下部ヘッド６７が比較的薄く形成されている場合は、支持部材３３と取付け部４１’との間に存在する隙間をもって代えることができる。
【００６９】
上記の上部ピン穴６４の内外方向の両側において、取付け部４１’にリベット６９、６９’が嵌入される。各リベット６９、６９’に対応して、外側樋耳係止部材３３のスライド取付け部５２には、スライド穴７１、７１’が設けられ、各リベット６９、６９’の下端部がそのスライド穴７１、７１’にそれぞれ所要の余裕をもって挿入される。スライド穴７１、７１’を２箇所に設けたのは、後述のようにリベットピン６５の下部ヘッド６７を嵌入部６８に嵌入させた状態（図１２参照）で、スライド穴７１、７１’がいずれか１箇所であると、支持部材３１に対し、外側樋耳係止部材３３が回転するおそれがあるからである。２箇所に設けるとそのおそれがない。
【００７０】
上記の各スライド穴７１、７１’の外端の位置及び内端の位置の選定は、先に第１実施形態について述べたスライド穴５３の内外端の選定と同様である。
【００７１】
第５実施形態の樋受具は以上のごときものであって、建物に取付ける前に作業者がこの樋受具の上下を反転させる。そうすると、リベットピン６５の下部ヘッド６７が嵌入部６８に落ち込む。そのため、支持部材３１に対し外側樋耳係止部材３３のスライドが可能となるので、これを外方へ引き出す。そのうえで、樋受具を元の姿勢に戻して支持部材３１の取付け板３７を釘５５により建物の取付け面３５に固定する（図１２参照）。
【００７２】
しかるのちに、樋１の外側樋耳２を外側樋耳係止部４８に係止し（図１２の一点鎖線参照）、更に内側樋耳４を内側挾持部４９に係止する。その後、樋１を外側樋耳係止部材３３と共に建物側に押し込むと、図１０に示すように、リベットピン６５が下部ピン穴６３に落ち込み、また内側挾持部４９と取付け板３７との間で樋１の内側壁５を挟持する。外側樋耳係止部材３３は、リベットピン６５により、内外方向への移動が制限され、またリベット６９、６９’により支持部材３１に対し、支持される。
【００７３】
なお、支持部材３１を取付け面３５に固定したのちに外側樋耳係止部材３３を外方へスライドさせる場合は、作業者がリベットピン６５の上部ヘッド６６を指先でつまみ上げ、下部ヘッド６７を嵌入部６８に引き上げたのち、外側樋耳係止部材３３を外方へスライドさせる。
【００７４】
図１３に示したものは、上記第５実施形態の変形例であり、樋１の外側樋耳２の立上がり形状に従って外側樋耳係止部４８を屈曲変形させたものである。図１４に示したものも第５実施形態の変形例であり、外側樋耳係止部材３３の先端に補助部材７３を固定し、その補助部材７３の上端に外側樋耳係止部４８を設けるとともに、下端に樋底押さえ部７３を設けたものである。
【００７５】
図１５に示したものも、第５実施形態の変形例であり、この場合は支持部材３１の第１取付け部３８の下面に逆Ｌ形の内側受け部材５９を固着し、その内側受け部材５９の内側受け部６０と内側挾持部４９との間で樋１の内側壁５を挟持するようにしたものである。この場合、固定部３６及びこれに固着された取付け板３７は、取付け面３５の傾斜角度に合わせて所要の角度がつけられる。
【００７６】
上記の図９に示した第４実施形態、図１０から図１２に示した第５実施形態及び図１３、図１４に示した第５実施形態の変形例においては、樋１の内側壁５の建物側外面を取付け板３７で受けるようにしているため、樋１が建物の取付け面３５にほとんど密着状態に取付けられる。
【００７７】
しかし、建物の設計に応じて樋１の位置を取付け面３５から或る程度離れた位置に取付ける場合は、前述の第３実施形態（図８参照）のごとき構成をとらざるをえない。しかし、この第３実施形態の構成では、支持部材３１の第１取付け部３８の部分で全ての荷重を受けることになる。このため、大雪など過大な荷重に対処するために支持部材３１の厚さを増加するなどの強化対策が必要となるが、次の第６実施形態（図１６参照）は、支持部材３１の厚さを変えることなく、第１取付け部３８及びその近辺の強化を図ったものである。
【００７８】
即ち、図１６に示した第６実施形態の支持部材３１は、樋１の内側壁５に接する外側挟持辺７５を有し、その外側挟持辺７５の上端が外方へ水平に屈曲され、前述の水平部３８’が形成される。
【００７９】
また、外側挟持辺７５の下端を内向き（建物側）に屈曲して、更に上向きに屈曲して固定辺７６を形成し、その固定辺７６の上端を外向きに屈曲して水平部３８’上に重ね、リベット７７で固着する。これにより、外側挟持辺７５、固定辺７６を含む四角形の枠状の固定部３６’が構成される。
【００８０】
上記の固定辺７６に上部取付け板３７ａ及び下部取付け板３７ｂが固着され、これらの各取付け板３７ａ、３７ｂを釘５５により取付け面３５に固定する。そうすると、樋１は上記固定部３６’の横幅の分だけ建物から離れた位置に取付けられる。
【００８１】
この場合、固定部３６’が四角形の枠状に形成されているため、著しく強度が向上する。また、外側挟持辺７５と内側挾持部４９とにより樋１の内側壁５をすき間なく挟持する。これにより、外側挟持辺７５、水平部３８’、傾斜部３９、外側樋耳係止部材３３、内側挾持部４９とにより四角形が形成されるため、水平部３８’、傾斜部３９等も補強される。
その他の構成は、前述の各実施形態のものと同様である。
【００８２】
図１７及び図１８に示した第７実施形態は、内側樋耳４が樋１の外方（建物側）へ突き出して形成されたもので、水平部３８’、固定部３６の補強を図ったものである。
【００８３】
即ち、固定部３６は、上部固定辺３６ａと下部固定辺３６ｂに分けて設けられ、上部固定辺３６ａの上端を外向きに屈曲して水平部３８’が形成される。
【００８４】
また、上部固定辺３６ａの下端を外向きに屈曲して内側樋耳係止部４６が形成され、更にその外端を下向きに屈曲して樋１の内側壁５に沿った外側挟持辺４９’が形成される。またその外側挟持辺４９’の下端を内向きに屈曲して内向き屈曲辺７８を形成し、その内向き屈曲辺７８の内端を上向きに屈曲して前記の下部固定辺３６ｂを形成している。この下部固定辺３６ｂは下向きに屈曲してもよい。
【００８５】
上記の上部固定辺３６ａには上部取付け板３７ａが固着され、また下部固定辺３６ｂには下部取付け板３７ｂが固着される。
【００８６】
樋１はその内側樋耳４が内側樋耳係止部４６に係止されると共に、外側樋耳係止部材３３の内側挟持部４９と外側挟持辺４９’との間で樋１の内側壁５がすき間無く挟持される。その結果、上部固定辺３６ａ、水平部３８’、傾斜部３９、外側樋耳係止部材３３、内側挟持部４９、内側樋耳係止部４６により多角形が形成され、水平部３８’が補強される。
【００８７】
上部固定辺３６ａと下部固定辺３６ｂをそれぞれ釘５５で取付け面３５に固定すると、これらの固定辺３６ａ、３６ｂ、内側係止部４６、外側挟持辺４９’、取付け面３５とを含む部分が補強作用のある四角形を形成する。
【００８８】
図１９は、上記第７実施形態の変形例の１であり、この場合は、固定部３６の内側樋耳係止部４６を外側樋耳係止部材３３のスライド取付け部５２と同じ高さに形成している。このため、樋１の内側樋耳４が、図の実線のように外向きである場合でも、一点鎖線のように内向きである場合でも使用することができる。
【００８９】
図２０は前記第７実施形態（図１７、図１８参照）の変形例の２である。この場合は、固定部３６における下部固定辺３６ｂを上部固定辺３６ａの背面に重ねるように長く形成し、上部取付け板３７ａにより、上部固定辺３６ａと、これに重ねられた下部固定辺３６ｂの一部とを一体に取付け面３５に固定する。この場合も、上部固定辺３６ａ、外側樋耳係止部材３３、外側挟持辺４９’、屈曲辺７８、下部固定辺３６ｂにより、補強作用のある四角形が形成される。
【００９０】
図２１は、第７実施形態の変形例の３である。この場合は取付け面３５に沿って下部固定辺３６ｂを下向きに屈曲させている。その下部固定辺３６ｂに直接釘穴を設け、釘５５により取付ける。また、ボルト３４とナット３４’の締付けが緩んだ場合に、外側樋耳係止部材３３が移動することを制限するために、先の図１０（第５実施形態）において述べたと同様の下部ピン穴６３、嵌入部６８を有する上部ピン穴６４を設け、これらの穴に、上部ヘッド６６、下部ヘッド６７を有するリベットピン６５を嵌入させる。このリベットピン６５は、外側樋耳係止部材３３を移動させる場合は、リベットピン６５をつまみ上げ（図２１の一点鎖線参照）、下部ヘッド６７を嵌入部６８に嵌入させる。外側樋耳係止部材３３を元の位置に戻すと、リベットピン６５は勝手に下部ピン穴６３に落ち込み、外側樋耳係止部材３３の移動を制限する。
【００９１】
図２２及び図２３は、第７実施形態の変形例の４である。この場合も固定部３６は上部固定辺３６ａと下部固定辺３６ｂを有し、内側樋係止部４６、外側挟持辺４９’、屈曲辺７８の部分が外方へ突き出す突出部９０を形成している。この場合の取付け板３７は１部材で構成され、図２３に示すように、両側に取付け部３７ａ、３７ａが設けられると共に、その中間に支持部材３１の板厚分だけ外方へ突き出した中間板取付け部３７ｂが設けられる。
【００９２】
上記の中間取付け部３７ｂには角穴９１が設けられ、その角穴９１の内側から前記の突出部９０がすき間無く嵌合され、該突出部９０の挟持辺４９’が外方に突き出す。
【００９３】
上記の突出部９０を角穴９１に対し上記のように嵌合させた状態で、角穴９１の上と下において、中間取付け部３７ｂと上部固定辺３６ａとの間、及び中間取付け部３７ｂと下部固定辺３６ｂとの間をリベット９２により固着して一体化する。
【００９４】
なお、上記の両側の取付け部３７ａには釘穴９３が設けられ、他の実施形態と同様釘５５により釘付け面３５に固定される。
【００９５】
上記構成の樋受具は、図２２に示すように、角穴９１から外方に突き出した突出部９０の内側樋耳係止部４６に内側樋耳４の係止段部６を受けると共に、樋１の内側壁５を、外側挟持辺４９’と内側挟持辺４９との間で挟持する。他は前述のもの（例えば、図１９参照）と同様である。
【００９６】
図２４は、第８実施形態であり、この場合は工場の屋根等に用いられる山形屈曲屋根（いわゆる折板屋根）に取付けられる樋受具に関する。この場合は、屋根７９の谷部の先端に水落し穴８１を設けると共に、山部に吊ボルト８２の上端を固定し、その吊ボルト８２の下端に、支持部材３１と外側樋耳係止部材３３とを上下のナット８３、８３’で固定している。
【００９７】
支持部材３１は、水平部３８’の内端を下向きに屈曲すると共に、更に外向きに屈曲して内側樋耳係止部４６を形成し、その内側樋耳係止部４６の外端を下向きに屈曲して内側受け部４７を形成している。
【００９８】
また、上記水平部３８’の外端に下向き傾斜部３９、取付け部４１’、上向き傾斜部４２、外側樋耳挟持部４３を順に形成している。上記の取付け部４１’に前記の吊りボルト８２が挿通される。
【００９９】
外側樋耳係止部材３３は前述のもの（図１７の第７実施形態）と同様であり、そのスライド穴５３に上記の吊りボルト８２の下端部が挿通され、前述した上下のナット８３、８３’により固定される。
【０１００】
樋１を掛ける際は、上下いずれかのナット８３、８３’を緩め、外側樋耳係止部材３３を外方にスライドさせ（一点鎖線参照）前述の各実施例と同様の要領で外側樋耳２を外側樋耳係止部４８に係止し、そのうえで樋１と共に外側樋耳係止部材３３を内方にスライドさせる。そして内側樋耳４を内側樋耳係止部４６に係止すると共に、内側挟持部４９を内側樋耳４及び内側壁５の内面に押し当て、内側受け部４７との間で挟持する。そのうえで、ナット８３、８３’を締付けて固定する。
【０１０１】
図２５に示した第９実施形態は、取付け部材８５、支持部材３１、外側樋耳係止部材３３を主要部材とする。取付け部材８５は、水平状態の第１取付け部３８ａの内端を下向きに屈曲して固定部３６を設け、その固定部３６に取付け板３７を固着している。第１取付け部３８ａの外端に下向き傾斜部３９ａを形成すると共に、その下端に水平の第２取付け部４１ａを形成している。
【０１０２】
支持部材３１は、水平部３８’の内端を下向きに屈曲すると共に、更に外向きに屈曲して内側樋耳係止部４６を形成し、その内側樋耳係止部４６の外端を下向きに屈曲して内側受け部４７を形成している。また、上記水平部３８’の外端に下向き傾斜部３９、取付け部４１’、上向き傾斜部４２、外側樋耳挟持部４３を順に形成している。
【０１０３】
また、上記支持部材３１の水平部３８’と、取付け部４１’にそれぞれスライド穴８６、８７が設けられている。
【０１０４】
外側樋耳係止部材３３は、スライド取付け部５２の外端に外側樋耳係止部４８、内端に内側挟持部４９及び案内部５１を形成したものであり、そのスライド取付け部５２にスライド穴５３が設けられる。
【０１０５】
上記取付け部材８５の第２取付け部４１ａの下面に、支持部材３１のスライド穴８７の部分が重ねられ、更にその下面に外側樋耳係止部材３３のスライド穴５３の部分が重ねられる。
【０１０６】
そして、これらの部分にずれ止め金具５４が嵌合され、第２ボルト３４ｂを挿通して第２蝶ナット３４’ｂで締結するようにしている。また、第１取付け部３８ａの下面に、支持部材３１のスライド穴８６の部分が重ねられ、その部分にずれ止め金具５４’が嵌合される。そして、そのずれ止め金具５４’、第１取付け部３８ａ、スライド穴８６に第１ボルト３４ａを挿通すると共に、第１蝶ナット３４’ａにより締結する。
【０１０７】
また、外側樋耳係止部３３のスライド取付け部５２に、３個の下部ピン穴６３が設けられ、これらに対応して、外側樋耳係止部材の取付け部４１’に上部ピン穴６４が設けられる。その上部ピン穴６４の下半分がテーパ状に拡大した嵌入部６８となっている。
【０１０８】
上記の上部ピン穴６４と、いずれか１つの下部ピン穴６３に、上部ヘッド６６、下部ヘッド６７を有するリベットピン６５が挿入される。これらの各ヘッド６６、６７、下部ピン穴６３、上部ピン穴６４及び嵌入部６８との大きさの関係は、前述の実施形態（例えば図１０の第５実施形態）の場合と同様である。
【０１０９】
上記の図２５に示した第９実施形態の樋受具は、第２蝶ナット３４’ｂを緩めると共に、リベットピン６５を指先でつまみ上げ（図２5 の二点鎖線参照）、しかるのちに外側樋耳係止部材３３を外方にスライドさせる。樋１の外側樋耳２を係止させたのち、内方に押込む要領は前述の各実施形態と同様であり、押込んだのち第１蝶ナット３４’ａを締結すると共に、リベットピン６５を下部ピン穴６３に落し込む。
【０１１０】
上記のようにして樋１を取付けたのち、樋１の出の調整を行う場合は、前記のように、第２蝶ナット３４’ｂを緩めると共に、リベットピン６５を持ち上げ、更に第１蝶ナット３４’ａも緩め、取付け部材８５に対して、支持部材３１、外側樋耳係止部材３３及び樋１を一体に内外方向にスライドさせる（二点鎖線参照）。しかるのちに、第１蝶ナット３４’ａ、第２蝶ナット３４’ｂを締付けると共に、リベットピン６５を他の下部ピン穴６３に落し込む。
【０１１１】
以上述べた実施形態は、いずれも支持部材３１の取付け部４１、４１’と、外側樋耳係止部材３２のスライド取付け部５２の重さなり部分の上下関係は、取付け部４１、４１’が上位でスライド取付け部５２が下位となる関係であった（例えば、図１、図８、図１０参照）。この場合、樋１の荷重は、下位のスライド取付け部５２からボルト３４、ナット３４’（図１０の場合はリベット６９、６９’）を経て支持部材３１で受けられるので、ボルト３４とナット３４’（図１０の場合はリベット６９、６９’）の部分に荷重が集中する。特に、図８のように内側樋耳４が樋１の内方を向いた形式のものは、樋１の全荷重がボルト３４とナット３４’の部分にかかることになる。
【０１１２】
このように、樋１の荷重が集中することは、耐久性の上で望ましいことではない。そこで、図２６から図３４に示す第１０実施形態とその変形例は、前記の重さなり部分の上下関係を逆にすることにより、上記の荷重の分散を図ったものである。
【０１１３】
即ち、図２６から図２８に示した第１０実施形態の樋受具は、前述の各実施形態と同様に、支持部材３１と外側樋耳係止部材３３及び側板部材９４から成る。
【０１１４】
支持部材３１は前述の場合（例えば図９参照）と同様に建物に対する固定部３６の上端を外向きに屈曲して水平部３８’を形成し、その水平部３８’の先端を下向きの傾斜をもつように屈曲して傾斜部を３９を形成し、更にその傾斜部３９の先端を水平に屈曲して取付け部４１’を形成している。上記の固定部３６に取付け板３７が固着される。
【０１１５】
一方、外側樋耳係止部材３３は、スライド取付け部５２の外端に外側樋耳係止部４８を設けたものであり、そのスライド取付け部５２の内端に側板部材９４がリベット９５により固着される（図２８参照）。
【０１１６】
側板部材９４は図２７に示すように、上記のスライド取付け部５２の上面に載る固定部９６とその固定部９６の両側に段部９７により一段低くなった側板９８がそれぞれ設けられ、その各側板９８は、支持部材３１の水平部３８’の両側においてこれと並行に延び、支持部材３１の取付け板３７の両側部に所定の間隔をおいて対向する。
【０１１７】
上記の側板９８の内端（建物側の端部）は下向きに屈曲されて内側挾持部４９が形成され、その下端に傾斜した案内部５１が形成される。
【０１１８】
上記の外側樋耳係止部材３３は、そのスライド取付け部５２を支持部材３１の取付け部４１’上に重ねる。そうすると、外側樋耳係止部材３３と一体化された側板部材９４の段部９７は、スライド取付け部５２と取付け部４１’を重ねた厚さに相当する高さをもって屈曲されているので、両側板９８、９８は、取付け部９１’の高さで水平に建物側に延びる。
【０１１９】
上記のスライド取付け部５２には、内外方向のスライド穴７１、７１’が間隔をおいて２箇所に設けられ、これらのスライド穴７１、７１’に対向して取付け部４１’からリベット６９、６９’が嵌入され、支持部材３１に外側樋耳係止部材３３をスライド自在に支持する。
【０１２０】
また、上記のスライド取付け部５２の各スライド穴７１、７１’の間隔部分に上部ピン穴面が設けられ、これに対応して取付け部４１’に下部ピン穴６３が設けられる。上部ピン穴６４の下半分はテーパ状に拡径された嵌入部６８となっている。
【０１２１】
上記の上部ピン穴６４と下部ピン穴６３にリベットピン６５が挿入される。このリベットピン６５の上部ヘッド６６と下部ヘッド６７と、上部ピン穴６４、下部ピン穴６３及び嵌入部６８との大きさ関係は、前述の実施形態（例えば図１０の第５実施形態）の場合と同様である。
【０１２２】
以上の構成でなる第１０実施形態の樋受具は、これを反転させるか又はリベットピン６５を引上げることによりその下部ヘッド６７を嵌入部６８に入れる。これにより、支持部材３１に対し、外側樋耳係止部材３３をスライドさせることができるので、前述の各実施形態（例えば図１０の第５実施形態）の場合と同様に樋１を取付けることができる。
【０１２３】
樋１の荷重は外側樋耳係止部４８及び内側挾持部４９を経て外側樋耳係止部材３３に作用するが、そのスライド取付け部５２が支持部材３１の取付け部４１’に載っており、両者は比較的広い面積にわたり面接触しているので、樋１の荷重に分散して支持部材３１により受けられる。
【０１２４】
なお、上記の支持部材３１及び外側樋耳係止部材及び外側樋耳係止部材３３の補強を図るために、これらの部材３１、３３を図２９（ａ）、（ｂ）に示すように断面形状を下向きコの字形に形成し、両者を上下に嵌合するようにしてもよい。
【０１２５】
また、図３０及び図３１に示したものは、前記の第１０実施形態の変形例であり、内側の樋耳４が樋１の外方を向いている場合である。この場合は、支持部材３１は固定部３６の上端を外向き水平に屈曲して第１取付け部３８を形成すると共に、その先端に下向きの傾斜部３９を介して水平の第２取付け部４１を設け、上記第１取付け部３８の下面に内側樋耳係止部材３２をリベット４４で取付けている。内側樋耳係止部材３２は、固定部４５、内側樋耳係止部４６、内側受け部４７を有する。
【０１２６】
また、外側樋耳係止部材３３は、前記の第１０実施形態と同様にスライド取付け部５２の外端に外側樋耳係止部４８を設け、その内端に側板部材９４をリベット９５により固定している。側板部材９４も前記と同様に固定部９６と段部９７及び両側板９８を有し、両側板９８の内端を下向きに屈曲して内側樋耳挟持部７９を形成し、その下端に傾斜した案内部５１を形成している。
その他の構成は第１０実施形態（図２６参照）と同様である。
【０１２７】
上記の場合は、内側樋耳４が内側樋耳係止部材４６に係止され、その内側面に内側樋耳挟持部４９が押し当てられる（図３１の一点鎖線参照）。その他の作用は第１０実施形態の場合と同様である。
【０１２８】
図３２は、上記の第１０実施形態（図２６参照）とその変形例（図３０参照）における外側樋耳係止部材３３と．側板部材３４とを一体化したものである。この場合の外側樋耳係止部材３３は、その内端面側に段部９７を介して両側板９８、９８を一体に形成している。両側板９８、９８の内端を下向きに屈曲して、内側樋耳挟持部４９及び案内部５１が形成される。
【０１２９】
【発明の効果】
以上のように、この発明は、外側樋耳係止部材を外方へスライドさせて引出した状態で樋を取付け、その後に内方へスライドさせ押し込むだけで取付けを完了することができる。
【０１３０】
従って、軒下と樋の間隔が狭い場合でも樋の取付け作業が容易であり、ボルト・ナットを締結する回数も少なくなるので作業能率を高めることができる。
【０１３１】
また、部品点数も少なくてすむので、コストの低減を図ることができる。
【０１３２】
なお、内側樋耳係止部材が樋の内側壁より内寄りに設けられた形式の場合は、上記の内側樋耳係止部材を省略し、内側樋耳係止部を外側樋耳係止部材の内端に設ける構成を採用することにより、一層簡単な構成とすることができる。
【０１３３】
更に、外側樋耳係止部材を支持部材に対しリベットピンで取付けた請求項７の発明は、樋受具の上下を反転させるだけでリベットピンを下部ピン穴から抜き、外側樋耳係止部材のスライドが可能となる便利さがある。
【０１３４】
また、支持部材の固定部を枠状に形成することにより、耐荷重性を向上することができる。
【図面の簡単な説明】
【図１】第１実施形態の使用時の断面図
【図２】同上の斜視図
【図３】同上の樋取付け時の断面図
【図４】同上の変形例の一部断面図
【図５】（ａ）同上の他の変形例の一部断面図
（ｂ）（ａ）図のｂ−ｂ線の断面図
【図６】同上のその他の変形例の一部断面図
【図７】第２実施形態の使用時の断面図
【図８】第３実施形態の使用時の断面図
【図９】第４実施形態の使用時の断面図
【図１０】第５実施形態の使用時の断面図
【図１１】（ａ）同上の斜視図
（ｂ）同上の底面から見た一部斜視図
【図１２】同上の樋取付け時の断面図
【図１３】同上の変形例の使用時の断面図
【図１４】同上の変形例の使用時の断面図
【図１５】同上の変形例の使用時の断面図
【図１６】第６実施形態の使用時の断面図
【図１７】第７実施形態の使用時の断面図
【図１８】同上の斜視図
【図１９】第７実施形態の変形例の１の断面図
【図２０】第７実施形態の変形例の２の断面図
【図２１】第７実施形態の変形例の３の断面図
【図２２】第７実施形態の変形例の４の断面図
【図２３】同上の一部斜視図
【図２４】（ａ）第８実施形態の断面図
（ｂ）同上の屋根部分の斜視図
【図２５】第９実施形態の断面図
【図２６】第１０実施形態の断面図
【図２７】同上の斜視図
【図２８】図２６のＸ−Ｘ線の断面図
【図２９】（ａ）第１０実施形態の変形例の斜視図
（ｂ）（ａ）図のｂ−ｂ線の断面図
【図３０】第１０実施形態の他の変形例の斜視図
【図３１】同上の一部省略断面図
【図３２】第１０実施形態の変形例の一部斜視図
【図３３】従来例の使用時の断面図
【図３４】同上の斜視図
【符号の説明】
１  樋
２  外側樋耳
３  外側壁
４  内側樋耳
５  内側壁
６  係止段部
７  開口
８  支持部材
９  樋耳係止部材
１１  外側樋耳挾持部材
１２  内側樋耳挾持部材
１３、１４、１５  ボルト
１３’、１４’、１５’  蝶ナット
１６  取付け面
１７  固定部
１８  取付け板
１９  取付け部
２１  外側樋耳係止部
２２  内側樋耳係止部
２３  釘
３１  支持部材
３２  内側樋耳係止部材
３３  外側樋耳係止部材
３４  ボルト
３４ａ  第１ボルト
３４ｂ  第２ボルト
３４’  蝶ナット
３４’ａ  第１蝶ナット
３４’ｂ  第２蝶ナット
３５  取付け面
３６、３６’  固定部
３６ａ  上部固定辺
３６ｂ  下部固定辺
３７  取付け板
３７ａ  上部取付け板
３７ｂ  下部取付け板
３８、３８ａ  第１取付け部
３８’  水平部
３９、３９ａ  傾斜部
４１  第２取付け部
４１’  取付け部
４２  傾斜部
４３  外側樋耳挾持部
４４  リベット
４５  固定部
４６、４６’  内側樋耳係止部
４７  内側受け部
４８  外側樋耳係止部
４９  内側挾持部
４９’  外側挟持辺
５１、５１’  案内部
５２  スライド取付け部
５３  スライド穴
５４  ずれ止め金具
５５  釘
５６  係止段部
５７  スライド調整穴
５８  ボルト
５８’  蝶ナット
５９  内側受け部材
６０  内側受け部
６１  ピン
６３  下部ピン穴
６４  上部ピン穴
６５  リベットピン
６６  上部ヘッド
６７  下部ヘッド
６８  嵌入部
６９  リベット
７１  スライド穴
７２  補助部材
７３  樋底押さえ部
７５  外側挟持辺
８１  水落し穴
８２  吊ボルト
８３、８３’  ナット
８５  取付け部材
８６、８７  スライド穴
９０  突出部
９１  角穴
９２  リベット
９３  釘穴
９４  側板部材
９５  リベット
９６  固定部
９７  段部
９８  側板
【図１】
0003806213.tif 000002
【図２】
0003806213.tif 000003
【図３】
0003806213.tif 000004
【図４】
0003806213.tif 000005
【図５】
0003806213.tif 000006
【図６】
0003806213.tif 000007
【図７】
0003806213.tif 000008
【図８】
0003806213.tif 000009
【図９】
0003806213.tif 000010
【図１０】
0003806213.tif 000011
【図１１】
0003806213.tif 000012
【図１２】
0003806213.tif 000013
【図１３】
0003806213.tif 000014
【図１４】
0003806213.tif 000015
【図１５】
0003806213.tif 000016
【図１６】
0003806213.tif 000017
【図１７】
0003806213.tif 000018
【図１８】
0003806213.tif 000019
【図１９】
0003806213.tif 000020
【図２０】
0003806213.tif 000021
【図２１】
0003806213.tif 000022
【図２２】
0003806213.tif 000023
【図２３】
0003806213.tif 000024
【図２４】
0003806213.tif 000025
【図２５】
0003806213.tif 000026
【図２６】
0003806213.tif 000027
【図２７】
0003806213.tif 000028
【図２８】
0003806213.tif 000029
【図２９】
0003806213.tif 000030
【図３０】
0003806213.tif 000031
【図３１】
0003806213.tif 000032
【図３２】
0003806213.tif 000033
【図３３】
0003806213.tif 000034
【図３４】
0003806213.tif 000035